(57)【特許請求の範囲】
【請求項１】
軒樋耳と嵌合する軒樋耳嵌合部を有する軒樋集水器において、軒樋耳嵌合部の下縁に線材が通る程度の凹所を設けたことを特徴とする軒樋集水器。
【請求項２】
軒樋耳嵌合部を集水器本体の前後に配し、前側の軒樋耳嵌合部に凹所を設けたことを特徴とする請求項１記載の軒樋集水器。
【請求項３】
軒樋耳嵌合部を集水器本体の前後に配し、各々の軒樋耳嵌合部に凹所を設け、各凹所に集水器本体上部を覆う網材の端部を係止したことを特徴とする請求項１記載の軒樋集水器
【請求項４】
軒樋耳嵌合部を集水器本体の前後に配し、各々の軒樋耳嵌合部に凹所を設け、各凹所に線材を通して連結し、集水器本体の前後を連結補強したことを特徴とする請求項１記載の軒樋集水器。
【発明の詳細な説明】
【０００１】
【発明の属する技術分野】
本発明は、軒樋耳と嵌合する軒樋耳嵌合部を有する軒樋集水器に関するものである。
【０００２】
【従来の技術】
従来から、図７、８に示す如く、軒樋耳３と嵌合する軒樋耳嵌合部４を有する軒樋集水器１は軒樋耳嵌合部４に孔１１を設けて、この孔１１に線材を通し、建築物の外壁と連結してなるものであった。
【０００３】
したがって、線材により建築物と連結されることで、集水器本体６は一層強固に固定されることになり、台風などの非常時においても吹き飛ばされることなく、安心して使える軒樋集水器１とすることができる。
【０００４】
【発明が解決しようとする課題】
しかしながら、上記従来の技術においては、針の穴に糸を通すような作業となる為線材を通しにくいという問題があった。視力の衰えた老施工者等にとってはたいへんな作業となっていた。
【０００５】
又、軒樋耳嵌合部４に孔１１を開けるには金型構造が複雑になりコストアップの原因となっていた。
【０００６】
本発明は、上記事由に鑑みてなしたもので、その目的とするところは、建築物の外壁と連結する為の線材を簡単に係止することができる軒樋集水器を提供することにある。
【０００７】
【課題を解決するための手段】
上記目的を達成するために、本発明の軒樋集水器にあっては、軒樋耳と嵌合する軒樋耳嵌合部を有する軒樋集水器において、軒樋耳嵌合部の下縁に線材が通る程度の凹所を設けてなることを特徴としている。
【０００８】
これにより、線材を簡単に係止することができる。従来の技術のように孔に線材を通すのではなく凹所に係止するだけなので簡単である。凹所のあると思われる位置に適当に線材を当て、あちらこちらにずらしているうちに凹所に嵌まった手応えがあればそこが凹所となり、その時点で線材の係止が完了する。たいへん簡単である。係止した線材は他端を建築物の外壁と連結し軒樋集水器の保持力を高めることとなる。
【０００９】
そして、上記軒樋集水器は、軒樋耳嵌合部を集水器本体の前後に配し、前側の軒樋耳嵌合部に凹所を設けてなることが好ましい。
【００１０】
この場合、軒樋集水器と建築物との結合が一層強くなる。建築物の外壁に対してより離れた箇所で、軒樋集水器を連結する線材を係止すれば結合強度は増す。軒樋集水器において、線材を係止した係止箇所より外側の部分の奥行き、この奥行きに比例したモーメントが係止箇所に集中して発生する為、係止箇所は軒樋集水器の外側にあるほどモーメントの負荷が少なくてすむ。前側の軒樋耳嵌合部に凹所を設けることで軒樋集水器と建築物との結合は一層強くなる。
【００１１】
そして、上記軒樋集水器は、軒樋耳嵌合部を集水器本体の前後に配し、各々の軒樋耳嵌合部に凹所を設け、各凹所に集水器本体上部を覆う網材の端部を係止してなることが好ましい。
【００１２】
この場合、簡単に網材を取付けることができる。凹所に係止するだけなので簡単である。又、凹所を軒樋耳嵌合部の下縁に配している為に、軒樋耳嵌合部の下側より網材を係止して軒樋を嵌合すれば、軒樋耳嵌合部と軒樋とで網材を挟着することになり強固な固定となる。
【００１３】
そして、上記軒樋集水器は、軒樋耳嵌合部を集水器本体の前後に配し、各々の軒樋耳嵌合部に凹所を設け、各凹所に線材を通して連結し、集水器本体の前後を連結補強してなることが好ましい。
【００１４】
この場合、簡単に集水器本体の強度を向上させることができる。集水器本体の前後に軒樋耳嵌合部を設けた場合、集水器本体と軒樋耳嵌合部との嵌合力が低下する。各軒樋耳嵌合部の間に空間が生じる為に、口が開いて外れてしまう現象が起こり易い。このような構造的弱点を線材を前後連結することで補うことができる。又、その線材も係止を凹所で行うので非常に簡単である。
【００１５】
【発明の実施の形態】
図１は本発明の請求項１乃至４に対応する軒樋集水器１を示す断面図である。図１において、軒樋集水器１は集水器本体６と軒樋耳嵌合部４からなる。軒樋耳嵌合部４は集水器本体６の前後に配され、各々内側へ屈曲した鍵状のフック８を有してなる。このフック８の下縁に拡大図に示すような凹所５を設けてなる。凹所５の大きさは図２に示す線材９が通る程度の大きさとする。図２は、本発明の請求項１、２に対応する第１の実施の形態を示す。図３、４、５は、本発明の請求項１、３に対応する第２の実施の形態を示す。図６は、本発明の請求項１、４に対応する第３の実施の形態を示す。
【００１６】
［第１の実施の形態］
図２は、本発明の軒樋集水器１に軒樋２が嵌合した状態を示す断面図である。
【００１７】
この実施の形態の軒樋集水器１は、軒樋耳３と嵌合する軒樋耳嵌合部４を有する軒樋集水器において、軒樋耳嵌合部４の下縁に線材９が通る程度の凹所５を設けてなる。
【００１８】
又、該実施の形態の軒樋集水器１においては、軒樋耳嵌合部４を集水器本体６の前後に配し、前側の軒樋耳嵌合部７に凹所５を設けてもいる。
【００１９】
図２において、軒樋集水器１に軒樋２が嵌合した状態を示し、前側の軒樋耳嵌合部７に設けた凹所５に線材９である針金を通し、この針金の他端を建築物の外壁１０と緊結する。
【００２０】
したがって、以上説明した軒樋集水器１によると、線材９を簡単に係止することができる。従来の技術のように孔１１に線材９を通すのではなく凹所５に係止するだけなので簡単である。凹所５のあると思われる位置に適当に線材９を当て、あちらこちらにずらしているうちに凹所５に嵌まった手応えがあればそこが凹所５となり、その時点で線材９の係止が完了する。たいへん簡単である。係止した線材９は他端を建築物の外壁１０と連結し軒樋集水器１の保持力を高めることとなる。
【００２１】
又、軒樋集水器１と建築物との結合が一層強くなる。建築物の外壁１０に対してより離れた箇所で、軒樋集水器１を連結する線材９を係止すれば結合強度は増す。軒樋集水器１において、線材９を係止した係止箇所より外側の部分の奥行き、この奥行きに比例したモーメントが係止箇所に集中して発生する為、係止箇所が軒樋集水器１の外側にあるほどモーメントの負荷が少なくてすむ。前側の軒樋耳嵌合部７に凹所５を設けることで軒樋集水器１と建築物との結合は一層強くなる。
【００２２】
［第２の実施の形態］
図３は、同軒樋集水器１と軒樋２とに係止する網材１２を示す平面図である。図４は、同軒樋集水器１に軒樋２が嵌合した状態を示す断面図である。図５は、同軒樋集水器１に軒樋２が嵌合した状態を示す平面図である。
【００２３】
この実施の形態の軒樋集水器１は、請求項１にかかる構成の他に、軒樋耳嵌合部４を集水器本体６の前後に配し、各々の軒樋耳嵌合部４に凹所５を設け、各凹所５に集水器本体６上部を覆う網材１２の端部を係止してなる。
【００２４】
図３、４、５において、網材１２を凹所５に係止してなる。図３に示すように網材１２の目は落葉などが通過しない程度の大きさとし、平面長方形で四隅に脚が突出しおり、この脚を曲げて鍵状とした網材フック１４を形成する。
【００２５】
図４に示すように、網材フック１４はその下部において軒樋耳嵌合部４の下縁に設けた凹所５に係止し上部では軒樋耳嵌合部の上縁１５と接する。網材フック１４の上部と下部で軒樋耳嵌合部４を挟着する形となる。
【００２６】
図５に示すように、網材１２取付完了後は集水器本体６の上側より落葉などが落ちてきても網材１２で止められ、軒樋集水器１が詰まってしまうことを防ぐことができる。
【００２７】
したがって、以上説明した軒樋集水器１によると、請求項１にかかる作用効果の他に、簡単に網材１２を取付けることができる。凹所５に係止するだけなので簡単である。又、凹所５を軒樋耳嵌合部４の下縁に配している為に、軒樋耳嵌合部４の下側より網材１２を係止して軒樋２を嵌合すれば、軒樋耳嵌合部４と軒樋２とで網材１２を挟着することになり強固な固定となる。
【００２８】
［第３の実施の形態］
図６は、同軒樋集水器１に軒樋２が嵌合した状態を示す断面図である。
【００２９】
この実施の形態の軒樋集水器１は、請求項１にかかる構成の他に、軒樋耳嵌合部４を集水器本体６の前後に配し、各々の軒樋耳嵌合部４に凹所５を設け、各凹所５に線材９を通して連結し、集水器本体６の前後を連結補強してなる。
【００３０】
図６において、前側の軒樋耳嵌合部７と後側の軒樋耳嵌合部１６に設けた凹所５に線材９である針金を通して連結してなる。針金を後側フック１８の下縁に設けた凹所５に係止させながら後側フック１８の上下に巻きつけた後、後側フック上縁から針金を前側フック１９へ飛ばして、前側フック１９においても同様に前側フック１９の上下に巻き付けてなる。又、フック８に巻きつける順番は後側フック１８が先でも、前側フック１９が先でもどちらでも良い。
【００３１】
したがって、以上説明した軒樋集水器１によると、請求項１にかかる作用効果の他に、簡単に集水器本体６の強度を向上させることができる。集水器本体６の前後に軒樋耳嵌合部４を設けた場合、集水器本体６と軒樋耳嵌合部４との嵌合力が低下する。各軒樋耳嵌合部４の間に空間が生じる為に、口が開いて外れてしまう現象が起こり易い。このような構造的弱点を線材９を前後連結することで補うことができる。又、その線材９も係止を凹所で行うので非常に簡単である。
【００３２】
【発明の効果】
上述の如く、請求項１記載の発明によれば、建築物との外壁と連結する線材を簡単に係止できる。
【００３３】
そして、請求項２記載の発明によれば、軒樋集水器と建築物との結合が一層強くなる。
【００３４】
そして、請求項３記載の発明によれば、集水器本体上部を覆う網材を簡単に取付けることができる。
【００３５】
そして、請求項４記載の発明によれば、簡単に集水器本体の強度を向上させることができる。
【図面の簡単な説明】
【図１】本発明の軒樋集水器を示す断面図である。
【図２】本発明の第１の実施の形態である軒樋集水器に軒樋が嵌合した状態を示す断面図である。
【図３】本発明の第２の実施の形態である軒樋集水器と軒樋とに係止する網材を示す平面図である。
【図４】同軒樋集水器に軒樋が嵌合した状態を示す断面図である。
【図５】同軒樋集水器に軒樋が嵌合した状態を示す平面図である。
【図６】本発明の第３の実施の形態である軒樋集水器に軒樋が嵌合した状態を示す断面図である。
【図７】本発明の従来例である軒樋集水器を示す斜視図である。
【図８】本発明の従来例である軒樋集水器を示す断面図である。
【符号の説明】
１    軒樋集水器
２    軒樋
３    軒樋耳
４    軒樋耳嵌合部
５    凹所
６    集水器本体
７    軒樋耳嵌合部
９    線材
１２  網材
【図１】
0004200252.tif 000002
【図２】
0004200252.tif 000003
【図３】
0004200252.tif 000004
【図４】
0004200252.tif 000005
【図５】
0004200252.tif 000006
【図６】
0004200252.tif 000007
【図７】
0004200252.tif 000008
【図８】
0004200252.tif 000009